(57)【特許請求の範囲】
【請求項１】
開かれた通帳類の各見開き頁の挿入方向側に記録されたバーコードパタンを前記通帳を搬送させながら読み取る通帳類バーコード読取装置であって、
前記通帳類を挿入する挿入口と、
前記通帳類を搬送する第１の搬送ローラおよび第２の搬送ローラと、
前記第１の搬送ローラと前記第２の搬送ローラとの間に位置し、前記バーコードパタンを読取るバーコードパタン読み取り部と、
前記第１の搬送ローラと、前記第２の搬送ローラと、前記バーコードパタン読み取り部を制御し、前記バーコードパタン読み取り部で読み取ったバーコードパタンを解析する制御部とを有し、
前記第１の搬送ローラは前記第２の搬送ローラよりも前記挿入口側にあり、
前記制御部は、前記通帳類を第１の搬送ローラから第２の搬送ローラに搬送するとともに前記バーコードパタンを読み取り、前記バーコードパタンの読み取り終了後、前記通帳類の綴じ目が前記第２の搬送ローラを通過する位置まで搬送し、前記読み取ったバーコードパタンが前記通帳端から所定の位置にあった否かを解析し、前記読み取ったバーコードパタンが前記所定の位置になかった場合、前記通帳類の頁の盛り上がりによって前記バーコード読み取り部に対するバーコードパタンの位置が所定の位置よりずれたと判断し、
前記第２の搬送ローラから第１の搬送ローラへ搬送する方向に前記通帳類全体が前記第２の搬送ローラを通過するまで搬送させることによって前記通帳類の頁の盛り上がりを修正させてから、前記バーコードパタンを読取ること、を特徴とする通帳類バーコード読取装置。
【発明の詳細な説明】
【技術分野】
【０００１】
本発明は、通帳のような冊子状の紙葉類に印刷されているバーコードを読み取るバーコード読み取り装置に係わり、特に通帳の各頁等に印刷されたそれぞれ関連する複数のバーコードパターンの読み取り補正を特別な機構を設けることなく行うことができる通帳類バーコード読み取り装置に関する。
【背景技術】
【０００２】
銀行等の金融機関では現金自動預払機（ＡＴＭ：Ａｕｔｏｍａｔｅｄ Ｔｅｌｌｅｒ Ｍａｃｈｉｎｅ）が使用されている。取引データを記入するためにＡＴＭに搭載される通帳記帳機では、新たな取引データを印字する際、または、自動頁替え機構による頁めくりを行った際の頁の妥当性をチェックするため、通帳等に印刷されている複数のバーコードから成るバーコードの有り、または無しの読み取りやバーコードの細い、または太いの判定を行っている。
【０００３】
バーコードは通帳の上端または下端に水平方向のバーコード（横バーコード）や垂直方向のバーコード（縦バーコード）があり、なかでも横バーコードには読み取り基準となるバーコード（基準バーコード）が必ず存在し、その基準バーコードから順番にバーコードを検索するように用いられるパターンと、検索の基準となる基準バーコードが存在しないパターンがある。従来、この種の装置としては、特開平７−８５２０２号公報（特許文献１）に開示のものがあった。
【０００４】
【特許文献１】特開平７−８５２０２号公報
【発明の開示】
【発明が解決しようとする課題】
【０００５】
バーコード読み取りのため通帳を搬送すると搬送ローラ間へ通帳が突入した時、搬送ローラと通帳の間に生じる抵抗により、頁が搬送方向に対し下方向に盛り上がりずれることがある。特に横バーコードの基準バーコードが存在しないパターンでは、頁がずれると読み取ったバーコードの垂直方向の位置が頁ずれに伴って正しい位置からずれてしまい、複数あるバーコードのうち何本目のバーコードであるか認識できず、バーコードパターンを正常に認識できないという問題があった。
【課題を解決するための手段】
【０００６】
この問題を解決するため、正しい位置に存在していることが認識できないバーコードを読み取った時は、最初の読み取り方向とは反対方向に搬送し、この時にバーコードを読み取るようにした。このようにすれば、通帳の最初の搬送時に頁の盛り上がりによって生ずるバーコード位置のずれは、通帳が搬送ローラに突入した時に通帳ローラに押し付けられることにより、ならされて補正することができるため、バーコードパターンを正常に認識することができる。
【発明の効果】
【０００７】
本発明によれば読み取り装置に特別な機構を設けることなく簡単にバーコード読み取り補正ができる。
【発明を実施するための最良の形態】
【０００８】
以下、本発明の実施の形態を図面により説明する。
【実施例１】
【０００９】
図２は本発明の実施形態に係るバーコード読み取り装置の付いた通帳記帳機の概略側面図である。２０１は通帳を取り込むまたは排出する通帳挿入排出口、２０２はバーコードを読み取るバーコード読み取り装置、２０３は通帳に貼り付けられた磁気ストライプの磁気情報を読み込むまたは書き込む磁気ヘッド、２０４は通帳に取引情報を印字する印字ヘッド、２０５は通帳の頁をめくる自動頁替え機構、２０６は通帳記帳機を制御する制御部、２０７は制御部２０６のメモリ、２１１〜２２０は図示しないモータにより回転し通帳を搬送する搬送ローラである。
【００１０】
図1は実施の形態の処理フローチャートである。顧客が図示しない通帳を通帳挿入排出口２０１から挿入(Ｓ１０１)すると図示しないモータからの動力を得て搬送ローラ２１１から搬送ローラ２２０が回転し通帳を引き込んで(Ｓ１０２)バーコード読み取り装置２０２が通帳の上端を検知すると制御部２０６はバーコード読み取り装置２０２にバーコード情報取り込みを指示することによりバーコード読み取りを開始し(Ｓ１０３)メモリ２０７にバーコード情報を記憶する。
【００１１】
通帳下端を検知すると読み取りを終了する。所定の位置に通帳搬送終了後、搬送モータ停止（Ｓ１０４）し制御部２０６はメモリ２０７に格納したイメージ情報からバーコードの有無解析（Ｓ１０５）を行う。なおバーコードの解析はバーコードの読み取りが終了した時から開始することも可能であるので搬送モータ停止（Ｓ１０４）する前から行っても良い。
【００１２】
図３はバーコード読み取り時の様子を拡大した図である。バーコード読み取り装置３０５を通過前に搬送ローラ３０１と搬送ローラ３０２の間に通帳３０４が突入した時、搬送ローラ３０１、搬送ローラ３０２と通帳との間に生ずる抵抗力により通帳３０４が３０３のように盛り上がりずれることがある。
【００１３】
メモリ２０７には通帳バーコード情報が画像データとして記憶されている。図５はバーコードの解析処理を示す図である。通帳５３０には第１バーコード５０１（バーコード無）、第２バーコード５０２（バーコード有）、第３バーコード５０３（バーコード無）、第４バーコード５０４（バーコード有）が印刷されている。
【００１４】
第１バーコード解析時は通帳５３０の上端からの距離５２０の下方向検索範囲５０５、上方向５０６の範囲で制御部２０６はメモリ２０７を解析しバーコードを探す。探した範囲内でバーコードであると制御部２０６が認識すればバーコード有とみなす。しかし３０３のようにずれが生じるとバーコードが下のほうへずれる。
【００１５】
第２バーコード検索は通帳５３０上端からの距離５２１の下方向検索範囲５０７、上方向５０８の範囲で制御部２０６はメモリ２０７を解析しバーコードを探す。探した範囲内でバーコードであると制御部２０６が認識すればバーコード有とみなすが、ずれによりバーコードが第１バーコードの検索範囲に属さず、第２バーコードの検索範囲にも属さないグレーゾーン５１４に存在してしまうと、このバーコードを第１バーコードであるか第２バーコードであるか認識することは不可能となる。認識不可能と判定した時は反対方向に搬送(Ｓ１０７)し再度バーコード読み取りを行う(Ｓ１０８)。
【００１６】
図４はバーコード再読み取り時の様子を拡大した図である。通帳４０４は４０３のように盛り上がってずれていても搬送ローラ４０１と搬送ローラ４０２により搬送されるうちに押し付けられ平面にならされバーコード読み取り装置４０５にて読み取り時には、ずれの補正された状態で読み取ることができる。
【００１７】
ここでも認識不可能と判定(Ｓ１１１)した時は印刷ずれの可能性などが考えられるため読み取り異常を報告し処理を終える。
【００１８】
なお、本説明では通帳の上端側にバーコードがある場合について説明したが下端側にバーコードがある場合にも本発明が有効でありこの場合は頁ずれが生じる搬送方向及び頁ずれが補正される搬送方向がこれまでの説明と逆になることは言うまでもない。
【００１９】
また、本発明ではバーコード読み取りで読み取り不能となった時に搬送方向を反対にすることにより補正を行うことにしたが本発明を通帳に貼り付けてある磁気ストライプを、通帳を搬送しながら読み取る磁気ストライプ読み取りに応用することも可能である。通帳挿入排出口２０１から通帳を引き込みながら磁気ヘッド２０３により磁気ストライプを読み取る時、引き込み方向では搬送ローラによる抵抗力が読み取りノイズとなり読み取り不能となるが搬送方向を反対にして通帳挿入排出口２０１へ搬送中に読み取るとノイズが現れず読み取り可能になるということも考えられる。
【図面の簡単な説明】
【００２０】
【図１】実施の形態の処理フローチャート
【図２】通帳記帳機の概略側面図
【図３】バーコード読み取り時の様子を拡大した図
【図４】バーコード再読み取り時の様子を拡大した図
【図５】バーコード解析処理方法を説明する図
【符号の説明】
【００２１】
２０１：通帳挿入排出口
２０２：バーコード読み取り装置
２０３：磁気ヘッド
２０４：印字ヘッド
２０５：自動頁替え機構
２０６：制御部
２０７：メモリ
２１１〜２２０：搬送ローラ
３０１〜３０２：搬送ローラ
３０３：盛り上がってしまった通帳ページ
３０４：通帳
３０５：バーコード読み取り装置
４０１〜４０２：搬送ローラ
４０３：盛り上がっている通帳ページ
４０４：通帳
４０５：バーコード読み取り装置
５０１〜５０４：第１バーコード〜第４バーコード
５０５：第１バーコード下側検索範囲
５０６：第１バーコード上側検索範囲
５０７：第２バーコード下側検索範囲
５０８：第２バーコード上側検索範囲
５０９：第３バーコード下側検索範囲
５１０：第３バーコード上側検索範囲
５１１：第４バーコード下側検索範囲
５１２：第４バーコード上側検索範囲
５１３：第１バーコード有または無のグレーゾーン
５１４：第１バーコードまたは第２バーコード有のグレーゾーン
５１５：第２バーコードまたは第３バーコード有のグレーゾーン
５１６：第３バーコードまたは第４バーコード有のグレーゾーン
５１７：第４バーコード有または無のグレーゾーン
５２０〜５２３：第１バーコード〜第４バーコード検索中心
５３０：通帳
【図１】
0004625771.tif 000002
【図２】
0004625771.tif 000003
【図３】
0004625771.tif 000004
【図４】
0004625771.tif 000005
【図５】
0004625771.tif 000006